(57)【要約】【課題】側板に棚板を水平に取付けた組立て式木製棚であって、中仕切り板を用いないで大荷重に耐えることが出来、又、側板の外表面に止着具の頭が露出しないようにした組立て式木製棚の提供。【解決手段】側板１，１を支持する為に止め具を該側板１，１に取着し、そして側板１，１の外表面５，５に当接して外側板４，４を固定し、さらに棚板は複数枚の棚板２，２を重ね合わせて固定した組合せ棚板７としている。【選択図】　　　　図３
2004073727.tif 000002
【特許請求の範囲】
【請求項１】
側板に棚板を水平に取付けた組立て式木製棚において、棚板を支持する為に止め具を側板に取着し、そして該側板の外表面に当接して外側板を固定したことを特徴とする組立て式木製棚。
【請求項２】
側板に棚板を水平に取付けた組立て式木製棚において、棚板を支持する為に止め具を側板に取着し、そして該側板の外表面に当接して外側板を固定し、さらに棚板は複数枚の棚板を重ね合わせて固定した構造とし、各棚板木口を側板に面して内面へ突出した止め具によって支持したことを特徴とする組立て式木製棚。
【請求項３】
上記外側板を側板の内側からネジ止めした請求項１、又は請求項２記載の組立て式木製棚。
【発明の詳細な説明】
【０００１】
【発明の属する技術分野】
本発明は棚板を支える止め具の頭が側板の外表面に現れないようにした強度の高い組立て式木製棚に関するものである。
【０００２】
【従来の技術】
図５は従来から使用されている木製の棚を示している具体例であり、両側板（イ）、（イ）に棚板（ロ）、（ロ）が水平に取付けられている。棚板（ロ）は側板（イ）の外側面から挿入して内面側へ突出した止め具（ハ）に載って支持されている。止め具の形態は色々あって、ネジ式の場合には、棚板（ロ）の木口に設けているネジ穴に螺合して固定することが出来る。又ピン式の場合には、内面側へ突出したピンに載って支持している。
【０００３】
図６は棚板（ロ）の木口を側板（イ）の内面に密着して支持している場合であり、（ａ）はネジ（ニ）を側板（イ）から棚板（ロ）の木口に螺合した支持形態である。棚板木口にはナット（ホ）を埋着していて、該ナット（ホ）のネジ穴にネジ（ニ）を螺合している。又、（ｂ）は側板（イ）を貫通して内面側へ突出したピン（ヘ）に棚板（ロ）が載って支えられている。棚板（ロ）の下面には凹溝（ト）が形成され、そして該凹溝（ト）にピン（ヘ）が嵌っている。
【０００４】
ところで、側板（イ）に設けた穴にネジ（ニ）又はピン（ヘ）を挿通して取付けた場合、図６に示すようにネジ頭（チ）及びピン頭（リ）は側板（イ）の外表面（ヌ）に露出することになり、木製棚の外観が損われる。特に、（ｂ）に示すピン頭（リ）は外表面（ヌ）から突出している為に邪魔になる。
【０００５】
そして、棚板（ロ）に物品を載置することで該棚板（ロ）は撓み変形するが、止め具（ハ）を介して側板（イ）が内側へ曲げられる。その結果、棚板（ロ）は一段と撓み変形して、下方の棚板（ロ）に載っている物品との間の隙間が無くなったり、時には該物品に当ってしまう。
【０００６】
従来の組立て式木製棚は、棚板（ロ）の曲げ強度、及び該棚板（ロ）を支える止め具（ハ）と木口の強度により、大きなもので９０〜１２０ｃｍ幅までのサイズが大半である。従って、大きな幅寸法の木製棚の場合、図７に示しているような中仕切り板（チ）を両側板（イ）、（イ）の間に配置して、棚板（ロ）、（ロ）…を支える構造としている。各棚板（ロ）、（ロ）…は中仕切り板（チ）によって中間部位が支えられ、大きな荷重に耐えることが出来る。
【０００７】
しかし、このような中仕切り板（チ）を取付けることで、棚板に載る物品が制約され、例えば長くて大きな物だけでなく、書籍類を収納する場合であっても、中仕切り板（チ）が存在することで整理がし難いといった問題が発生する。
【０００８】
【発明が解決しようとする課題】
このように、従来の組立て式木製棚には上記のごとき問題がある。本発明が解決しようとする課題はこの問題点であり、中仕切り板を取付けることなく、大荷重に耐えうることが出来、又側板の外表面に止め具の頭が露出しないようにした組み立て式木製棚を提供する。
【０００９】
【課題を解決する為の手段】
本発明に係る組立て式木製棚は大きな荷重に耐え得ることが出来るように構成され、又棚板を支持する止め具の頭が側板外表面に露出しない構造としている。そこで、本発明の組立て式木製棚は側板の外表面側に別の外側板を重ね合わせて内側からネジ止めして取付ける。又は接着剤にて外側板を固着している。
【００１０】
従って、側板の厚さが外側板の分だけ厚くなって曲げ強度が高くなり、内側への曲がり変形を防止して棚板の強度の向上が図られる。そして、上記外側板は側板に取着して棚板を支持する止め具の頭をカバーし、木製棚の外観の向上が図られる。以下、本発明に係る実施例を図面に基づいて詳細に説明する。
【００１１】
【実施例】
図１は本発明に係る組立て式木製棚を表わしている実施例である。同図に示すように所定の間隔をおいて垂直に起立する両側板１，１間には棚板２，２…が水平に取付けられ、同じ棚板が底板３として使われている。そして、この木製棚は幅寸法が従来に比較して大きく、例えば１８０ｃｍ以上の大きさとなっているが、棚板２の撓み変形は抑えられ、その強度も確保されている。
【００１２】
このように棚の幅寸法が大きくなることで、棚板２の長さは大きく、しかし棚板２に載せられる物品が重くても耐えることが出来る強度となっている。すなわち、本発明の木製棚は側板１，１の外側に外側板４，４を重ね合わせて固定している。従って、側板１，１の強度は大きくなり、棚板２の撓み変形に伴う曲げ変形を抑制する効果がある。
【００１３】
図２は外側板４の分解図であるが、側板１の外表面５に当接して側板１の内側からネジ止めされる。棚板２は側板１の外側からネジ止め、又はピン止めにて支持されているが、外側板４を外表面５に当接して固定することで、側板１の強度は高くなり、しかも棚板２を支持するネジの頭６，６…、又はピンの頭６，６…をカバーすることが出来る。
【００１４】
側板１に外側板４を抱き合わせてネジ止めすることで、厚さが約２倍の側板となり、曲げ強度が大きく向上する。棚板２に物品が載ることで撓み変形するが、止め具を介して側板１も内側へ変形する。本発明は、この側板１に外側板４を抱き合わせてネジ止めすることで、側板１の曲げ強度が大きく向上して内側への変形が抑制される。その結果、棚板２の撓み変形も小さくなり、棚板２の耐荷重は高くなる。ここで、外側板４の取付け方法はネジ止めに限定するものではなく、接着剤にて固着することも可能である。
【００１５】
図３は本発明に係る木製棚を示す他の実施例であり、棚板が２枚重なり合った組合せ棚板７を備えている。すなわち２枚の棚板２，２はネジ止めされて分離しないように組合され、１枚の組合せ棚板を構成している。勿論、ネジ止めにて組合せ固定する代わりに、接着剤を使用して貼り合わせ固定することもある。
【００１６】
そして、各棚板２，２の片方の木口にはネジ穴が合計８個設けられ、側板１の穴から挿通されるネジによって、組合せ棚板７は側板１，１に取着される。このように組合されてはいるが、各棚板２，２の木口に設けたネジ穴にネジが螺合して取着され、木口部の強度は片側４箇所に分散されることで保たれる。
【００１７】
又、個々の棚板２，２には補強を施して構成することが出来、例えば、図４に示すように補強板８の両面側には表面板９，９が貼着されて棚板２と成り、そして補強板８は長方形の枠体に補強桟１０，１０が備わっている。上記枠体は縦桟１１，１１と横桟１２，１２が組合されて構成され、補強桟１０，１０は横桟１２，１２と平行を成して、両端が縦桟１１，１１に固定されている。
【００１８】
このように、補強桟１０，１０を枠体に取付けることで非常に丈夫で高強度の補強板８となり、該補強板８の両面に表面板９，９を貼り合せた棚板２は非常に丈夫である。勿論、補強板８の構造は同図に限定するものではなく、ハニカムコアを補強板として使用したり、又はパーチクルボードを用いることもある。そしてこの補強板８の両面には同じく表面板９，９が貼り合わされて棚板２となる。
【００１９】
以上述べたように、本発明の組立て式木製棚は、棚板を支持する為の止め具を取着している側板の外側に外側板を取付けたものであり、次のような効果を得ることが出来る。
【００２０】
【発明の効果】
本発明に係る組立て式木製棚には、側板の外側に外側板を取付け固定している為に、側板に取着して棚板を支持する止め具の頭がカバーされ、木製棚の外観が向上する。そして、外側板を抱き合わせて取付けることで側板の曲げ強度が高くなり、その結果、棚板に作用する荷重によって変形する撓み量を小さくし、ひいては棚板の強度が高くなる。
【００２１】
又、棚板を重ね合わせて組合せ棚板構造とするならば、該棚板の強度は更に高くなり、特にその曲げ強度が高く、幅寸法を大きくしても、間に仕切り板を設ける必要はない。例えば幅２００ｃｍの棚であっても、仕切り板が無くても大きな荷重に耐え、撓みも少ない。その為に木口に作用する負担も小さくなる。
【００２２】
そして、組合せ棚板の各棚板は側板と止め具によって固定される為に、すなわち１枚の組合せ棚板ではあるが、木口には個々のネジ穴又は溝が形成され、止め具はネジ穴に螺合したり、溝に嵌るなどして支持される。従って、木口部での支持荷重が分散されて、組合せ棚板に作用する大きな荷重にも耐えることが出来る。
【図面の簡単な説明】
【図１】本発明に係る組合せ木製棚。
【図２】外側板を分解した場合。
【図３】本発明に係る他の組合せ木製棚。
【図４】棚板の分解図。
【図５】従来の組合せ式木製棚。
【図６】棚板の支持構造。
【図７】中仕切り板を備えた木製棚。
【符号の説明】
１　側板
２　棚板
３　底板
４　外側板
５　外表面
６　頭
７　組合せ棚板
８　補強板
９　表面板
１０　補強桟
１１　縦桟
１２　横桟
【図１】
2004073727.tif 000003
【図２】
2004073727.tif 000004
【図３】
2004073727.tif 000005
【図４】
2004073727.tif 000006
【図５】
2004073727.tif 000007
【図６】
2004073727.tif 000008
【図７】
2004073727.tif 000009